【事件の表示】
　特願２００２−１７７３６０「散布作業車」拒絶査定不服審判事件〔平成１５年　１月　７日出願公開、特開２００３−　　　１２８〕について、次のとおり審決する。
【結　論】
　本件審判の請求は、成り立たない。
【理　由】
１．手続の経緯・本願発明
　本願は、平成３年４月１５日に出願された特願平３−８２４４８号の一部を特願２０００−２２１３８号として新たに出願し、さらにその一部を特願２００２−１７７３６０号として新たに出願したものであって、その請求項１に係る発明（以下、「本願発明」という。）は、平成１６年７月２８日付け手続補正書により全文補正された明細書の特許請求の範囲の請求項１に記載された次のとおりのものである。
「【請求項１】車体後部に、潅水用あるいは消毒用の液体を収容するタンク２０を搭載し、車体前部に、複数の噴霧ノズル３４…を備えた車体左右幅と同等あるいはそれよりやや広いセンター噴霧機枠２７、及びこのセンター噴霧機枠２７の左右両側に車体内側に向かって回動収納するサイド噴霧機枠３９を設け、更に前記噴霧装置２６を上リンク１６と下リンク１７とからなるリンク機構を介して昇降自在に支持して設け、操縦座席６の横側部には噴霧調節操作部２１を設けると共に操縦座席６前方のハンドル７の横側方であって、前記噴霧調節操作部２１と左右同じ側には、サイド噴霧機枠３９をピン４１廻りに回動させるスイッチ（ロ）（ハ）と噴霧装置２６全体を昇降させるスイッチ（イ）を設けてなる散布作業車において、水平状態に広げたサイド噴霧機枠３９が前方の障害物と衝突して後方へ押された場合にこれを再び元の状態に復帰させるスプリング４７がサイド噴霧機枠３９側に備えられていることを特徴とする散布作業車。」
　
２．引用刊行物及び引用刊行物に記載された事項
　これに対して、当審が平成１６年５月１２日付けで通知した拒絶の理由に引用し本願の出願日前に頒布された下記の刊行物には、以下の事項が記載されている。
　
刊行物１：実願昭６３−１４９７６２号（実開平２−７０７５７号）の
　　　　　マイクロフィルム 
刊行物２：特開平３−８００３８号公報
刊行物３：特開昭５８−６２２２７号公報 
　
（１）刊行物１（実願昭６３−１４９７６２号（実開平２−７０７５７号）のマイクロフィルム）
「自走散布車１０は、ステアリングホイール１２を備える運転席１４を中央部に有し・・・薬液タンク２0は、運転席1４の後ろ側に配設され、薬液を貯蔵する。薬液用開閉２１は、運転席１４の前側のステアリングホイール１２の下方に配設され、ノズル管３８ａ，３８ｂ，３８ｃへの薬液の供給量を制御する。」（１０頁１０−１９行）
「第４図は自走散布車ｌ０の前部に装備されるブームを自走散布車ｌ０の前方から見た図である。センタブーム２６は左右方向へ水平に延び、右サイドブーム２８及び左サイドブーム３０は、基端部側の支点３２において揺動自在にセンタブーム２６の右端部及び左端部にそれぞれ配設される。油圧シリンダ３４は、右サイドブーム２８及び左サイドブーム３０に対応して設けられ、伸縮により右サイドブーム２８及び左サイドブーム３０を、Ｘ字状に交差する格納位置及び左右水平方向へ張り出す水平位置との間で揺動させる。・・・吐出管３６ａ，３６ｂ，３６ｃ及びノズル管３８ａ，３８ｂ，３８ｃは、センタブーム２６、右サイドブーム２８及び左サイドブーム３０の下面側の位置となるように、ステー４０を介してこれらセンタブーム２６、右サイドブーム２８及び左サイドブーム３０のにそれぞれ取付けられ、複数個のノズル４２が、ノズル管３８ａ，３８ｂ，３８ｃの長手方向へ適宜間隔にノズル管３８ａ，３８ｂ，３８ｃに取付けられている。」（１１頁２行−１２頁３行）
「ノズル４２からの薬液の噴霧Ａは・・・噴霧Ａを作物等の被散布物へ搬送する。」（１２頁８−１２行）
「第６図はセンタブーム２６の上下動機構の構造図である。油庄シリンダ４８は、上下方向へ延び、上下の端部においてピン４９を介してそれぞれセンタブーム２６の上部構造体５０及びブーム取付用マスト２２に結合している。ステー５２はセンタブーム２６に固定され、ローラ５４は、ステー５２の端部に回動自在に取付けられ、油圧シリンダ４８の伸縮に伴ってブーム取付用マスト２２の側面を転動して、センタブーム２６を上下方向へ案内する。」（１３頁１−９行）
「薬液及び散布物１２４の散布中、作業者は、自走散布車１０の運転席１４に乗り込み、散布場所において自走散布車１０を所定の速度で走行させる。薬液の散布を行なう場合は、薬液を薬液タンク２０からノズル管３８へ圧送する図示しないポンプを駆動させるとともに、薬液用開閉弁２１・・・を・・・開・・・とする。・・・薬液タンク２０内の薬液は、ポンプによりノズル管３８ａ，３８ｂ，３８ｃへ送られ、ノズル管３８ａ，３８ｂ，３８ｃのノズル４２から噴霧される。」（１９頁４−１９行）
「支点３２はピンで構成され、右サイドブーム２８及び左サイドブーム３０はピン廻りに揺動する」点。（第４図）
　
　これらの記載及び図面第１〜６図の記載からみて、刊行物１には以下の発明が記載されていると認められる。
「車体後部に薬液を貯蔵する薬液タンク２０を配設し、車体前部に、複数個のノズル４２を備えた車体左右幅と同等あるいはそれよりやや広いセンタブーム２６、及びこのセンタブーム２６の左右両側に車体内側に向かって揺動格納する右サイドブーム２８及び左サイドブーム３０を設け、更に薬液を噴霧する装置を上下方向移動自在に支持して設け、運転席１４の前側のステアリングホイール１２の下方には薬液の供給量を制御する薬液用開閉弁２１を配設し、右サイドブーム２８及び左サイドブーム３０をピン廻りに揺動させる油圧シリンダ３４、３４を備え、薬液を噴霧する装置全体を上下方向へ移動させる油圧シリンダ４８を備えた自走散布車１０。」（以下、「引用発明」という。）
　
（２）刊行物２（特開平３−８００３８号公報）
「車体１後端部からロワリング１４，１４の後端部に亘っては、薬液を収容しうると共に搭乗者の操縦席部２ａを形成する薬液タンク２を固定可能に載置し、この操縦席部２ａの側部に形成されたアームレスト２ｂ上には、・・・薬液を各々圧送又は停止操作する各操作具３ａ，３ｂ，３ｃを配設し、さらに前記薬液タンク２後端の下側に設けられた薬液ポンプ２２からの吐出圧を調節する調圧弁３ｄ、この調圧弁３ｄで設定された吐出圧を維持するチャンバー４ａ及び調圧弁３ｄによる薬液圧を表示する圧力計４ｂ等を配設する。」（２頁右上欄１０行−左下欄５行）
　
　これらの記載及び図面第１、２図の記載からみて、刊行物２には、以下の点が記載されていると認められる。
「操縦席部２ａの横側部には薬液を各々圧送又は停止操作する各操作具３ａ，３ｂ，３ｃ及び調圧弁３ｄを設けた」点。
　
（３）刊行物３（特開昭５８−６２２２７号公報 ）
「ドーザ装着部とバックフォー装着部とを備えてトラクタに装着可能とした補強フレーム・・・トラクタにおける作業機取付装置。」（特許請求の範囲）
「ドーザ（３９）は第６図（イ）のように土寄体（４０）の後部を取付プレート（４１）へ左右２組の平行リンク（４２）（４２）によって枢着し、取付プレート（４１）に固設したマスト（４３）にシリンダ（４４）を、又、平行リンク（４２）にそのピストン（４５）を、夫々枢着し、取付プレート（４１）の後上部左右に取付ピン（４６）（４６）を設け、又、取付プレート（４１）の後下部左右にピン孔（４７）（４７）を設けている。そして、土寄体（４０）の後部へ抜取自在に装着したスタンド（４８）を用いて土寄体（４０）を地上に保持しておいて・・・ピストン（４５）を引込ませれば平行リンク（４２）（４２）の後部と共に取付プレート（４１）も上昇して第６図（ロ）の状態となる。・・・ピストン（４５）を突出させれば平行リンク（４２）と共に取付プレート（４１）の側が下降して取付ピン（４６）（４６）は前部フック（１７）（１７）に嵌合することになる。そこで ドーザ装着部（１６）（１６）のピン孔（１８）（１８）と取付プレート（４１）のピン孔（４７）（４７）に図示は省略したが、ピンを挿入すれば、ドーザ（３９）が補強フレーム（６）に固定されるものである。」（ ２頁左下欄７行−右下欄１１行）
「ドーザ（３９）の土寄体（４０）に、取付プレート（４１）を上リンク（上方のリンク）４２と下リンク（下方のリンク）４２とからなるリンク機構を介して昇降自在に支持して設ける」点。（第６図（イ）（ロ））
　
３．対比
　本願発明と引用発明とを対比する。
　引用発明の「薬液」、「貯蔵」、「薬液タンク２０」、「配設」、「複数個のノズル４２」、「センタブーム２６」、「揺動格納」、「右サイドブーム２８及び左サイドブーム３０」、「薬液を噴霧する装置」、「上下方向移動自在」、「揺動」、「上下方向へ移動させる」、「自走散布車１０」は、それぞれ、本願発明の「液体」、「収容」、「タンク」、「搭載」、「複数の噴霧ノズル３４…」、「センター噴霧機枠２７」、「回動収納」、「サイド噴霧機枠３９」、「噴霧装置２６」、「昇降自在」、「回動」、「昇降させる」、「散布作業車」に相当し、
　引用発明において、油圧シリンダ３４、３４と油圧シリンダ４８をそれぞれ作動させる「操作手段」を設けていることは明らかであり、本願発明の「スイッチ」は「操作手段」といえるものであるから、
　両者の一致点及び相違点は次のとおりである。
　
　＜一致点＞ 
「車体後部に液体を収容するタンクを搭載し、車体前部に、複数の噴霧ノズルを備えた車体左右幅と同等あるいはそれよりやや広いセンター噴霧機枠、及びこのセンター噴霧機枠の左右両側に車体内側に向かって回動収納するサイド噴霧機枠を設け、更に噴霧装置を昇降自在に支持して設け、サイド噴霧機枠をピン廻りに回動させる操作手段と噴霧装置全体を昇降させる操作手段を設けてなる散布作業車。」
　＜相違点＞
（１）タンクに収容する液体が、本願発明では「潅水用あるいは消毒用の液体」であるのに対して、引用発明では薬液である点。
（２）噴霧装置２６を昇降自在に支持するのに、本願発明では、「上リンク１６と下リンク１７とからなるリンク機構を介して」いるのに対して、引用発明ではそのような構成を有していない点。
（３）本願発明では、「操縦座席６の横側部には噴霧調節操作部２１を設け」ているのに対して、引用発明ではそのような構成を有していない点。
（４）本願発明では、サイド噴霧枠３９をピン４１廻りに回動させる操作手段と噴霧装置２６全体を昇降させる操作手段が、それぞれ「スイッチ（ロ）（ハ）」と「スイッチ（イ）」であり、「操縦座席６前方のハンドル７の横側方であって、噴霧調節操作部２１と左右同じ側には」、「スイッチ（ロ）（ハ）と」「スイッチ（イ）を設けてなる」のに対して、引用発明ではそのような構成を有していない点。
（５）本願発明では、「水平状態に広げたサイド噴霧機枠３９が前方の障害物と衝突して後方へ押された場合にこれを再び元の状態に復帰させるスプリング４７がサイド噴霧機枠３９側に備えられている 」のに対して、引用発明ではそのような構成を有していない点。
　
４．判断
　上記相違点について検討する。
　ｉ．相違点（１）について 
　潅水用あるいは消毒用の液体をタンクに収容し噴霧することは、農業の分野においては通常行われていることであるから、引用発明において、タンクに薬液に代えて潅水用あるいは消毒用の液体を収容することは、当業者が容易に想到し得ることである。
　ii．相違点（２）について   
　装置や部材を昇降自在に支持するのに、上リンクと下リンクとからなるリンク機構を介することは、上記刊行物３にも記載されているように様々な技術分野における周知技術であるから、上記相違点（２）に係る本願発明の構成は、引用発明に上記周知技術を採用して当業者が容易に想到し得ることである。
　iii．相違点（３）について 
　上記刊行物２には、「操縦席部２ａの横側部には薬液を各々圧送又は停止操作する各操作具３ａ，３ｂ，３ｃ及び調圧弁３ｄを設けた」点が記載され、該点の「操縦席部２ａ」、「各操作具３ａ，３ｂ，３ｃ及び調圧弁３ｄ」は、それぞれ、本願発明の「操縦座席６」、「噴霧調節操作部２１」に相当しているから、上記相違点（３）に係る本願発明の構成は、引用発明に上記刊行物２に記載された点を適用して当業者が容易に想到し得ることである。
　iv．相違点（４）について 
　操作手段としてスイッチは周知技術であり、複数の操作手段を操作を迅速に行うことができるように配置することは、設計時に当業者が当然考慮することであるから、上記相違点（４）に係る本願発明の構成は、当業者が、引用発明に上記刊行物２に記載された点を適用するにあたり、上記周知技術を採用して適宜になし得る設計的事項にすぎない。
　ｖ．相違点（５）について 
　散布作業車において、水平状態に広げた噴霧ノズルを備えたブームが前方の障害物と衝突して後方へ押された場合にこれを再び元の状態に復帰させるスプリングが備えられていることは、周知技術（下記の周知例参照。）であり、スプリングがサイド噴霧機枠側に備えられている点は、当業者が必要に応じて適宜になし得る設計的事項にすぎないから、上記相違点（５）に係る本願発明の構成は、引用発明に上記周知技術を採用して当業者が容易に想到し得ることである。
　
　そして、本願発明によって奏せられる効果は、引用発明、上記刊行物２に記載された発明及び上記周知技術によって奏せられる効果と比較して格別顕著なものともいえない。
　
　以上のとおりであるから、本願発明は、引用発明、上記刊行物２に記載された発明及び上記周知技術に基いて当業者が容易に発明をすることができたものである。
　
《周知例》
　周知例１：実願昭５５−５７５２０号（実開昭５６−１５９１５７号）の
　　　　　　マイクロフィルム
　周知例２：実願昭５８−８４６９３号（実開昭６０−５３３６８号）の
　　　　　　マイクロフィルム
　周知例３：実願平１−２４２７８号（実開平２−１１７０６２号）の
　　　　　　マイクロフィルム
　
５．むすび
　以上のとおりであって、本願請求項１に係る発明は、刊行物１、２に記載された発明及び周知技術に基いて当業者が容易に発明をすることができたものであるから、特許法第２９条第２項の規定により特許を受けることができない。
　よって、結論のとおり審決する。